(57)【特許請求の範囲】
【請求項１】
商品を識別する商品ＩＤと、商品の発注処理を行う災害モードにおいて発注可能であるか否かを識別するためのフラグと、を含む商品マスタを記憶する記憶部と、
外部からの入力を受け付ける入力部と、
災害に関する災害情報を受信する受信部と、
前記受信した災害情報に基づいて、自装置のモードを、商品の精算処理を行う通常モードから前記災害モードへ切り替える切替部と、
前記災害モードにおいて前記入力部で入力された、前記商品マスタに基づく発注情報を、ネットワークを介して管理サーバに送信する発注部と、を備えたＰＯＳ端末装置。
【請求項２】
前記切替部は、災害時発注機能が有効な状態で前記災害情報を受信すると、自装置のモードを前記災害モードへ切り替える、請求項１に記載のＰＯＳ端末装置。
【請求項３】
表示画面を表示する表示部、をさらに備え、
前記発注部は、前記切替部が前記災害モードへ切り替えると、前記表示画面を、前記精算処理に使用する精算画面から前記発注処理に使用する発注画面に変更する、請求項１又は２のいずれか１項に記載のＰＯＳ端末装置。
【請求項４】
前記発注情報に関する伝票を出力する伝票出力部、をさらに備えた請求項１から３のいずれか１項に記載のＰＯＳ端末装置。
【請求項５】
前記発注情報は、前記発注情報を入力するユーザに関するユーザ情報を含む、請求項１から４のいずれか１項に記載のＰＯＳ端末装置。
【請求項６】
ＰＯＳ端末装置と、前記ＰＯＳ端末装置とネットワークを介して通信する管理サーバと、を有するＰＯＳシステムであって、
前記ＰＯＳ端末装置は、商品を識別する商品ＩＤと、商品の発注処理を行う災害モードにおいて発注可能であるか否かを識別するためのフラグと、を含む商品マスタを記憶する記憶部を備え、
前記ＰＯＳ端末装置において外部からの入力を受け付ける入力部と、
災害に関する災害情報を受信する受信部と、
前記受信した災害情報に基づいて、前記ＰＯＳ端末装置のモードを、商品の精算処理を行う通常モードから前記災害モードへ切り替える切替部と、
前記災害モードにおいて前記入力部で入力された、前記商品マスタに基づく発注情報を、前記ネットワークを介して前記ＰＯＳ端末装置から前記管理サーバに送信する発注部と、を備えたＰＯＳシステム。
【請求項７】
商品を識別する商品ＩＤと、商品の発注処理を行う災害モードにおいて発注可能であるか否かを識別するためのフラグと、を含む商品マスタを記憶するＰＯＳ端末装置が、
災害に関する災害情報を受信し、
前記受信した災害情報に基づいて、前記ＰＯＳ端末装置のモードを、商品の精算処理を行う通常モードから前記災害モードへ切り替え、
前記災害モードにおいて入力された、前記商品マスタに基づく発注情報を、ネットワークを介して管理サーバに送信する、ＰＯＳ端末装置の制御方法。
【請求項８】
商品を識別する商品ＩＤと、商品の発注処理を行う災害モードにおいて発注可能であるか否かを識別するためのフラグと、を含む商品マスタを記憶するＰＯＳ端末装置に、
災害に関する災害情報を受信し、
前記受信した災害情報に基づいて、自装置のモードを、商品の精算処理を行う通常モードから前記災害モードへ切り替え、
前記災害モードにおいて入力された、前記商品マスタに基づく発注情報を、ネットワークを介して管理サーバへ送信する、処理を実行させる、ＰＯＳ端末装置の制御プログラム。
【発明の詳細な説明】
【技術分野】
【０００１】
本発明は、ＰＯＳ端末装置、ＰＯＳシステム、制御方法、及び制御プログラムに関する。
【背景技術】
【０００２】
災害時の物資の提供の際に、ＰＯＳシステムを利用することが提案されている。特許文献１は、複数の避難所のそれぞれにＰＯＳ端末を設置し、各避難所に到着した物資の量を管理する技術を開示している。各避難所の物資の到着状況を確認することにより、各避難所間での物資の調整を行うことが可能となる。
【先行技術文献】
【特許文献】
【０００３】
【特許文献１】特開２０１３−０５８０７１号公報
【発明の概要】
【発明が解決しようとする課題】
【０００４】
災害が発生した場合、避難所によって必要となる物資が異なる。特許文献１のＰＯＳ端末を用いた場合、到着した物資を効率的に管理することはできるが、各避難所において必要な物資を過不足なく揃えることはできないという問題があった。
【０００５】
本開示は上記課題を解決するためにされたものであって、災害が発生した場合に端末装置から商品の発注を行うことが可能なＰＯＳ端末装置、ＰＯＳシステム、制御方法、および制御プログラムを提供することを目的とする。
【課題を解決するための手段】
【０００６】
本開示にかかるＰＯＳ端末装置は、外部からの入力を受け付ける入力部と、災害に関する災害情報を受信する受信部と、前記受信した災害情報に基づいて、自装置のモードを、商品の精算処理を行う通常モードから商品の発注処理を行う災害モードへ切り替える切替部と、前記災害モードにおいて、前記入力部で入力された発注情報を、ネットワークを介して管理サーバに送信する発注部と、を備えたものである。
【０００７】
本開示にかかるＰＯＳシステムは、ＰＯＳ端末装置と、前記ＰＯＳ端末装置とネットワークを介して通信する管理サーバと、を有するＰＯＳシステムであって、前記ＰＯＳ端末装置において外部からの入力を受け付ける入力部と、災害に関する災害情報を受信する受信部と、前記受信した災害情報に基づいて、前記ＰＯＳ端末装置のモードを、商品の精算処理を行う通常モードから商品の発注処理を行う災害モードへ切り替える切替部と、前記災害モードにおいて前記入力部で入力された発注情報を、前記ネットワークを介して前記ＰＯＳ端末装置から前記管理サーバに送信する発注部と、を備えたものである。
【０００８】
本開示にかかる制御方法は、災害に関する災害情報を受信し、前記受信した災害情報に基づいて、ＰＯＳ端末装置のモードを、商品の精算処理を行う通常モードから商品の発注処理を行う災害モードへ切り替え、前記災害モードにおいて入力された発注情報を、ネットワークを介して管理サーバに送信する、ものである。
【０００９】
本開示にかかる制御プログラムは、ＰＯＳ端末装置に、災害に関する災害情報を受信し、前記受信した災害情報に基づいて、自装置のモードを、商品の精算処理を行う通常モードから商品の発注処理を行う災害モードへ切り替え、前記災害モードにおいて入力された発注情報を、ネットワークを介して管理サーバへ送信する、処理を実行させる、ものである。
【発明の効果】
【００１０】
本開示によれば、災害が発生した場合に端末装置から商品の発注を行うことが可能なＰＯＳ端末装置、ＰＯＳシステム、制御方法、及び制御プログラムを提供することが可能となる。
【図面の簡単な説明】
【００１１】
【図１】実施の形態１にかかるＰＯＳシステム３００の構成を示す構成図である。
【図２】実施の形態１にかかるＰＯＳ端末装置１００の機能構成を示す構成図である。
【図３】実施の形態２にかかるＰＯＳシステム３００の構成を示す構成図である。
【図４】実施の形態２にかかるＰＯＳ端末装置１００の機能構成を示す構成図である。
【図５】実施の形態２にかかるＰＯＳ端末装置１００が記憶するシステムデータ１２１を例示する図である。
【図６】実施の形態２にかかるＰＯＳ端末装置１００が記憶する商品マスタ１２２を例示する図である。
【図７】実施の形態２にかかるＰＯＳ端末装置１００の動作を示すフローチャートである。
【図８】実施の形態２にかかるＰＯＳ端末装置１００がディスプレイ６に表示する精算画面の例を示す図である。
【図９】実施の形態２にかかるＰＯＳ端末装置１００がディスプレイ６に表示する発注画面の例を示す図である。
【図１０】実施の形態２にかかるＰＯＳ端末装置１００がディスプレイ６に表示する商品選択画面の例を示す図である。
【図１１】実施の形態２にかかるＰＯＳ端末装置１００がディスプレイ６に表示する数量選択画面の例を示す図である。
【図１２】実施の形態２にかかるＰＯＳ端末装置１００がディスプレイ６に表示する発注内容を確定するための画面の例を示す図である。
【図１３】実施の形態２にかかるＰＯＳ端末装置１００がディスプレイ６に表示するユーザ情報を登録するための画面の例を示す図である。
【図１４】実施の形態２にかかるＰＯＳ端末装置１００がユーザ情報登録後にディスプレイ６に表示する画面の例を示す図である。
【図１５】実施の形態２にかかるＰＯＳ端末装置１００が伝票に印刷する発注情報の例を示す図である。
【図１６】実施の形態２にかかるＰＯＳ端末装置１００が発行する伝票の例を示す図である。
【発明を実施するための形態】
【００１２】
＜実施の形態１＞
図1は、本実施の形態１にかかるＰＯＳシステム３００の概要を示す概略構成図である。ＰＯＳシステム３００は、ＰＯＳ端末装置１００および管理サーバ２００を備える。ＰＯＳ端末装置１００と管理サーバ２００とは、ネットワーク４００を介して通信可能である。ネットワーク４００は、例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）である。ＰＯＳ端末装置１００および管理サーバ２００がネットワーク４００に接続する方法は、無線接続であってもよいし、有線接続であってもよい。ネットワーク４００には、図示しない緊急地震速報センター６００が接続されていてもよい。
【００１３】
図２は、ＰＯＳ端末装置１００の機能構成を示す構成図である。ＰＯＳ端末装置１００は、入力部１１８、受信部１１３、切替部１１４、及び発注部１１５を備える。入力部１１８は、外部からの入力を受け付ける。入力部１１８は、例えば、キーボード、タッチパネル等からの入力を受け付ける。受信部１１３は、災害に関する災害情報を受信する。受信部１１３は、例えば、緊急地震速報センター６００が配信する緊急地震速報を、災害情報として受信してもよい。
【００１４】
切替部１１４は、受信部１１３が受信した災害情報に基づいて、ＰＯＳ端末装置１００のモードを、商品の精算処理を行う通常モードから商品の発注処理を行う災害モードへ切り替える。切替部１１４は、例えば、緊急地震速報を受信した場合に、ＰＯＳ端末装置１００のモードを災害モードヘ切り替える。切替部１１４は、例えば、緊急地震速報によって通知された震度が所定の値を超えた場合に、ＰＯＳ端末装置１００のモードを災害モードヘ切り替える。
【００１５】
発注部１１５は、災害モードにおいて入力部１１８で入力された発注情報を、ネットワーク４００を介して管理サーバ２００へ送信する。発注情報は、発注内容を示す情報であり、例えば、商品名、発注数量等である。管理サーバ２００は、発注情報を取得する。発注情報に基づいて被災地に商品の提供が行われる。
【００１６】
なお、受信部１１３および切替部１１４の処理は、管理サーバ２００で実行されてもよい。例えば、管理サーバ２００は、緊急地震速報を緊急地震速報センター６００から受信し、ＰＯＳ端末装置１００のモードを災害モードへ変更するためのコマンドを、ＰＯＳ端末装置１００に送信してもよい。
【００１７】
本実施の形態にかかるＰＯＳシステム３００は、災害情報に基づいてＰＯＳ端末装置１００のモードを変更する。したがって、本実施の形態にかかるＰＯＳシステム３００は、災害が発生した場合にＰＯＳ端末装置１００から商品の発注を行うことができる。
【００１８】
＜実施の形態２＞
図３は、本実施の形態にかかるＰＯＳシステム３００の構成例を示す構成図である。ＰＯＳシステム３００は、実施の形態１と同様に、ＰＯＳ端末装置１００及び管理サーバ２００を備えている。以下では、実施の形態１と重複する説明は適宜省略する。
【００１９】
ＰＯＳ端末装置１００および管理サーバ２００は、ネットワーク４００に接続されている。ネットワーク４００は、例えば、インターネットである。ＰＯＳ端末装置１００は、通常モードにおいて精算処理を行い、災害モードにおいて発注処理を行う。ＰＯＳ端末装置１００は、小売業者のレジに設置されてもよい。ＰＯＳ端末装置１００は、例えば、コンビニエンスストアやスーパーマーケットのレジに設置される。管理サーバ２００は、例えば、小売業者の本部システムである。ネットワーク４００には、緊急地震速報センター６００が接続されている。
【００２０】
ＰＯＳ端末装置１００は、ハードウェア構成として、ＣＰＵ（Ｃｅｎｔｒａｌ  Ｐｒｏｃｅｓｓｉｎｇ  Ｕｎｉｔ）１、ＲＯＭ（Ｒｅａｄ  Ｏｎｌｙ  Ｍｅｍｏｒｙ）２、ＲＡＭ（Ｒａｎｄａｍ  Ａｃｃｅｓｓ  Ｍｅｍｏｒｙ）３、ＨＤＤ（Ｈａｒｄ  Ｄｉｓｋ  Ｄｒｉｖｅ）４、入力インタフェース５、ディスプレイ６、プリンタ７、バッテリー８、及び通信インタフェース９を有する。
【００２１】
ＲＯＭ２またはＨＤＤ４は、ＰＯＳ端末装置１００の有する各機能を実現するプログラムモジュールを記憶している。なお、各機能については後述する。ＣＰＵ１は、プログラムモジュールをＲＡＭ３に読み出して実行することで、対応する機能を実現する。ＲＯＭ２またはＨＤＤ４は、後述するシステムデータ１２１、及び後述する商品マスタ１２２を記憶する。
【００２２】
入力インタフェース５は、ＰＯＳ端末装置１００に入力デバイスを接続するためのインタフェースである。入力デバイスは、例えば、マウス、キーボードである。ディスプレイ６は、商品精算を行う際の精算画面、及び商品発注を行う際の発注画面を表示する。プリンタ７は、商品精算に関するレシート、および商品発注に関する伝票を印刷する。
【００２３】
バッテリー８は、地震によって停電となった場合に、ＰＯＳ端末装置１００に電力を供給する。通信インタフェース９は、ＰＯＳ端末装置１００をネットワーク４００に接続するためのインタフェースである。ＰＯＳ端末装置１００は、商品の精算の際にバーコードを読み取るスキャナをそなえていてもよい。
【００２４】
図４は、ＰＯＳ端末装置１００の機能構成を示す構成図である。以下、ＰＯＳ端末装置１００がセルフレジである場合について説明するが、セルフレジでなくてもよい。ＰＯＳ端末装置１００は、店員が精算に関する操作を行う通常のレジであってもよい。ＰＯＳ端末装置１００は、制御部１１０および記憶部１２０を備える。制御部１１０は、上述した各ハードウェアを制御する。記憶部１２０は、ＰＯＳ端末装置１００において使用されるデータを記憶する。
【００２５】
制御部１１０は、セルフレジ制御部１１１、災害時発注部１１２、及び印刷制御部１１６、通信部１１７および入力部１１８を備える。セルフレジ制御部１１１は、セルフレジ機能により、顧客からの操作を受けて精算を行う。セルフレジ制御部１１１は、ディスプレイ６に対して、精算を行うための精算画面を表示するように制御する。
【００２６】
災害時発注部１１２は、受信部１１３において緊急地震速報を受信する。受信部１１３は、緊急地震速報センター６００からの緊急地震速報の受信処理を制御する。災害時発注部１１２は、緊急地震速報を受信した場合、切替部１１４においてＰＯＳ端末装置１００のモードを切り替える。ＰＯＳ端末装置１００のモードを災害モードに切り替えた後、災害時発注部１１２は、発注部１１５において発注を行う。発注部１１５は、ディスプレイ６に対して、発注を行うための発注画面を表示するように制御する。発注部１１５は、入力部１１８に入力された発注情報を管理サーバ２００に送信する。
【００２７】
印刷制御部１１６は、プリンタ７を制御する。印刷制御部１１６は、精算処理に関するレシート、発注処理に関する伝票を印刷する。ユーザは、発注内容を伝票として保存可能となる。通信部１１７は、ＰＯＳ端末装置１００が行う通信を制御する。通信部１１７は、ＰＯＳ端末装置１００と管理サーバ２００との通信を制御する。入力部１１８は、入力インタフェース５を介して入力を受け付ける。
【００２８】
記憶部１２０は、システムデータ１２１および商品マスタ１２２を記憶する。システムデータ１２１は、ＰＯＳ端末装置１００が使用する各種の設定情報である。商品マスタ１２２は、ＰＯＳシステム３００を使用する小売業者が扱う商品の商品情報を管理するための表形式のデータである。
【００２９】
システムデータ１２１の例を図５に示す。システムデータ１２１には、災害時発注機能を有効にするか否かを示すパラメータが含まれる。災害時発注機能を有効にした場合、ＰＯＳ端末装置１００は、緊急地震速報を受信すると自端末装置を災害モードに設定する。
【００３０】
システムデータ１２１には、ＰＯＳ端末装置１００が設置されている施設の住所、電話番号等の情報が含まれる。システムデータ１２１には、災害モードにおいて発注した商品に関する問い合わせ先の情報が含まれる。問い合わせ先の情報は、例えば、小売業者の本部を示す名称、電話番号、メールアドレス等である。
【００３１】
商品マスタ１２２の例を図６に示す。商品マスタ１２２は、商品に関する情報を管理するためのテーブルである。商品マスタ１２２は、商品を識別するためのＩＤの他に、商品名、商品が属するカテゴリー等の情報を含んでもよい。
【００３２】
図６に示す商品マスタ１２２は、精算処理に使用されるテーブルに識別フラグのカラムを追加したものである。識別フラグとは、災害モードにおいて発注可能な商品を識別するためのフラグである。なお、全ての商品を発注可能とする場合、商品マスタ１２２は、識別フラグのカラムを含まなくてもよい。システムデータ１２１および商品マスタ１２２は、災害発生の前に、ＰＯＳ端末装置１００に予め登録されている。
【００３３】
図７は、本実施形態にかかるＰＯＳ端末装置１００の動作を示すフローチャートである。まず、ＰＯＳ端末装置１００は、通常モードで動作している（ステップＳ１０１）。通常モードは、セルフレジにおける精算処理を行うためのモードであってもよい。次に、ＰＯＳ端末装置１００は、緊急地震速報を受信する（ステップＳ１０２）。
【００３４】
次に、ＰＯＳ端末装置１００は、システムデータ１２１を参照し、災害時発注機能が有効になっているか無効になっているかを確認する（ステップＳ１０３）。災害時発注機能とは、緊急地震速報を受信した場合に、ＰＯＳ端末装置１００のモードを通常モードから災害モードに変更する機能である。
【００３５】
災害時発注機能が有効になっている場合（ステップＳ１０３のＹｅｓ）、切替部１１４は、ＰＯＳ端末装置１００のモードを、通常モードから災害モードに変更する（ステップＳ１０４）。例えば、ＰＯＳ端末装置１００は、セルフレジ機能を停止し、災害モードに移行する。災害時発注機能が無効になっている場合（ステップＳ１０３のＮｏ）、切替部１１４は、災害モードへの切り替えを行わない。つまり、ＰＯＳ端末装置１００は、通常モードのまま動作する（ステップＳ１０５）。例えば、ＰＯＳ端末装置１００は、セルフレジ機能をそのまま動作させる。
【００３６】
ここで、災害モードにおける表示画面の遷移について説明する。まず、発注部１１５は、ディスプレイ６の表示画面をセルフレジの精算画面から、災害時の発注画面に変更する。図８は、セルフレジの受付の際の精算画面を示す。図９は、災害時の発注画面を示す。マウス等を用いた入力によって、発注する商品のジャンルを選択することが可能となる。
【００３７】
図１０は、商品を選択する際の発注画面を示す。図９において飲料を選択した場合には図１０に示す発注画面が表示される。図１１は、数量を決定する際の発注画面である。発注数量は、キーボードを用いて入力可能であってもよい。図１０においてミネラルウォータを選択した場合、発注部１１５は、図１１の発注画面を表示する。
【００３８】
図１２は、発注内容を確定するための発注画面を示す。マウスを用いて決定ボタンをクリックすることにより、発注内容が確定される。図１２において発注内容を確定した後、災害時発注部１１２は、発注を行ったユーザに関するユーザ情報を受け付ける。図１３は、ユーザ情報を入力するための発注画面の例である。ユーザ情報は、例えば、氏名、電話番号、メールアドレス等である。
【００３９】
ユーザ情報を入力した場合、ＰＯＳ端末装置１００は、図１４に示す画面を表示し、発注内容およびユーザ情報を、発注情報としてＲＡＭ３に保存する。図１５は、発注情報の例を示す図である。伝票番号は、発注情報を識別するための番号である。ユーザ情報は、発注情報を入力したユーザに関する情報であり、氏名、電話番号等である。発注内容は、商品ＩＤと発注数量とである。
【００４０】
印刷制御部１１６は、プリンタ７を制御し、ＲＡＭ３に保存した発注情報を伝票として印刷する。図１６は、印刷される伝票の例である。伝票には、伝票番号、発注内容、及びユーザ情報が記載されている。また、伝票には、問い合わせ先の情報が記載されている。印刷制御部１１６は、システムデータ１２１を参照し、問い合わせ先の情報を印刷する。発注部１１５は、ＲＡＭ３に保存した発注情報を管理サーバ２００に送信する。
【００４１】
上述した動作により、管理サーバ２００は、被災した施設で必要とされる物資に関する情報を収集することができる。管理サーバ２００を運用する小売業者は、収集した情報に基づいて商品の提供および販売を行うことが可能となる。
【００４２】
以下、本実施形態の効果について説明する。緊急地震速報からの信号に基づいて、飲料の提供を行う自動販売機が提案されている。しかし、自動販売機が収容する飲料は数に限りがあるため十分な物資を提供することができないという問題があった。本実施形態にかかるＰＯＳシステム３００は、ＰＯＳ端末装置１００から商品の発注を行うため、被災地に対して十分な量の物資を提供することができる。
【００４３】
また、被災地の支援を行う際に、被災地で不足している物資に関する情報が伝わらず、必要以上の数量が届いてしまうという問題があった。本実施の形態によると、被災地に設置されたＰＯＳ端末装置１００は、発注に関する発注情報を正確に管理サーバ２００に通知する。したがって、本実施形態にかかるＰＯＳシステム３００は、提供される物資の過不足を解消することができる。なお、本実施の形態によると、手動によるＰＯＳ端末装置１００のモードの切り替えは不要である。
【００４４】
上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体は、例えば、磁気記録媒体、光磁気記録媒体、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリを含む。磁気記録媒体は、例えば、フレキシブルディスク、磁気テープ、ハードディスクドライブなどである。光磁気記録媒体は、例えば光磁気ディスクなどである。半導体メモリは、例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ）などである。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４５】
なお、本発明は上記実施の形態に限られたものではなく、趣旨を逸脱しない範囲で適宜変更することが可能である。
【００４６】
上記の実施形態の一部又は全部は、以下の付記のようにも記載されうるが、以下には限られない。
【００４７】
（付記１）
外部からの入力を受け付ける入力部と、
災害に関する災害情報を受信する受信部と、
前記受信した災害情報に基づいて、自装置のモードを、商品の精算処理を行う通常モードから商品の発注処理を行う災害モードへ切り替える切替部と、
前記災害モードにおいて前記入力部で入力された発注情報を、ネットワークを介して管理サーバに送信する発注部と、を備えたＰＯＳ端末装置。
【００４８】
（付記２）
商品を識別する商品ＩＤと、前記災害モードにおいて発注可能であるか否かを識別するためのフラグと、を含む商品マスタを記憶する記憶部、をさらに備え、
前記発注部は、前記商品マスタに基づく前記発注情報を送信する、付記１に記載のＰＯＳ端末装置。
【００４９】
（付記３）
前記切替部は、災害時発注機能が有効な状態で前記災害情報を受信すると、自装置のモードを前記災害モードへ切り替える、付記１または２のいずれかに記載のＰＯＳ端末装置。
【００５０】
（付記４）
表示画面を表示する表示部、をさらに備え、
前記発注部は、前記切替部が前記災害モードへ切り替えると、前記表示画面を、前記精算処理に使用する精算画面から前記発注処理に使用する発注画面に変更する、付記１から３のいずれか１項に記載のＰＯＳ端末装置。
【００５１】
（付記５）
前記発注情報に関する伝票を出力する伝票出力部、をさらに備えた付記１から４のいずれか１項に記載のＰＯＳ端末装置。
【００５２】
（付記６）
前記発注情報は、前記発注情報を入力するユーザに関するユーザ情報を含む、付記１から５のいずれか１項に記載のＰＯＳ端末装置。
【００５３】
（付記７）
当該ＰＯＳ端末装置は、前記通常モードにおいて、商品を購入するユーザ自らが前記商品の精算処理を行うためのセルフＰＯＳ端末である、付記１から６のいずれか１項に記載のＰＯＳ端末装置。
【００５４】
（付記８）
ＰＯＳ端末装置と、前記ＰＯＳ端末装置とネットワークを介して通信する管理サーバと、を有するＰＯＳシステムであって、
前記ＰＯＳ端末装置において外部からの入力を受け付ける入力部と、
災害に関する災害情報を受信する受信部と、
前記受信した災害情報に基づいて、前記ＰＯＳ端末装置のモードを、商品の精算処理を行う通常モードから商品の発注処理を行う災害モードへ切り替える切替部と、
前記災害モードにおいて前記入力部で入力された発注情報を、前記ネットワークを介して前記ＰＯＳ端末装置から前記管理サーバに送信する発注部と、を備えたＰＯＳシステム。
【００５５】
（付記９）
前記ＰＯＳ端末装置は、商品を識別する商品ＩＤと、前記災害モードにおいて発注可能であるか否かを識別するためのフラグと、を含む商品マスタを記憶する記憶部、をさらに備え、
前記発注部は、前記商品マスタに基づく前記発注情報を送信する、付記８に記載のＰＯＳシステム。
【００５６】
（付記１０）
災害に関する災害情報を受信し、
前記受信した災害情報に基づいて、ＰＯＳ端末装置のモードを、商品の精算処理を行う通常モードから商品の発注処理を行う災害モードへ切り替え、
前記災害モードにおいて入力された発注情報を、ネットワークを介して管理サーバに送信する、ＰＯＳ端末装置の制御方法。
【００５７】
（付記１１）
商品を識別する商品ＩＤと、前記災害モードにおいて発注可能であるか否かを識別するためのフラグと、を含む商品マスタに基づいて、前記発注情報を送信する、付記１０に記載のＰＯＳ端末装置の制御方法。
【００５８】
（付記１２）
ＰＯＳ端末装置に、
災害に関する災害情報を受信し、
前記受信した災害情報に基づいて、自装置のモードを、商品の精算処理を行う通常モードから商品の発注処理を行う災害モードへ切り替え、
前記災害モードにおいて入力された発注情報を、ネットワークを介して管理サーバへ送信する、処理を実行させる、ＰＯＳ端末装置の制御プログラム。
【符号の説明】
【００５９】
１  ＣＰＵ
２  ＲＯＭ
３  ＲＡＭ
４  ＨＤＤ
５  入力インタフェース
６  ディスプレイ
７  プリンタ
８  バッテリー
９  通信インタフェース
１００  ＰＯＳ端末装置
１１０  制御部
１１１  セルフレジ制御部
１１２  災害時発注部
１１３  受信部
１１４  切替部
１１５  発注部
１１６  印刷制御部
１１７  通信部
１１８  入力部
１２０  記憶部
１２１  システムデータ
１２２  商品マスタ
２００  管理サーバ
３００  ＰＯＳシステム
４００  ネットワーク
６００  緊急地震速報センター
【要約】
【課題】災害が発生した場合に端末装置から商品の発注を行うことが可能なＰＯＳ端末装置、ＰＯＳシステム、制御方法、および制御プログラムを提供する。
【解決手段】本発明にかかるＰＯＳ端末装置１００は、外部からの入力を受け付ける入力部１１８と、災害に関する災害情報を受信する受信部１１３と、前記受信した災害情報に基づいて、自装置のモードを、商品の精算処理を行う通常モードから商品の発注処理を行う災害モードへ切り替える切替部１１４と、前記災害モードにおいて入力部１１８で入力された発注情報を、ネットワーク４００を介して管理サーバ２００に送信する発注部１１５と、を備える。
【選択図】図２【図１】
0006863629.tif 000002
【図２】
0006863629.tif 000003
【図３】
0006863629.tif 000004
【図４】
0006863629.tif 000005
【図５】
0006863629.tif 000006
【図６】
0006863629.tif 000007
【図７】
0006863629.tif 000008
【図８】
0006863629.tif 000009
【図９】
0006863629.tif 000010
【図１０】
0006863629.tif 000011
【図１１】
0006863629.tif 000012
【図１２】
0006863629.tif 000013
【図１３】
0006863629.tif 000014
【図１４】
0006863629.tif 000015
【図１５】
0006863629.tif 000016
【図１６】
0006863629.tif 000017